(57)【要約】【課題】液晶表示装置において、色再現性を向上させる。【解決手段】液晶表示装置は、所定の色の光を出射する光源と、光源から出射された光を集光して出射するレンズと、レンズから出射された光のうち特定帯域の波長を有する特定帯域光を透過するバンドパスフィルタと、表示パネルの背面側に配置される導光板と、を含み、バンドパスフィルタを透過した特定帯域光は、導光板の側面に入射される。【選択図】図２
2017181815.tif 000002
【特許請求の範囲】
【請求項１】
所定の色の光を出射する光源と、
前記光源から出射された光を集光して出射するレンズと、
前記レンズから出射された光のうち特定帯域の波長を有する特定帯域光を透過するバンドパスフィルタと、
表示パネルの背面側に配置される導光板と、
を含み、
前記バンドパスフィルタを透過した前記特定帯域光は、前記導光板の側面に入射される、
ことを特徴とする液晶表示装置。
【請求項２】
前記光源と前記レンズと前記バンドパスフィルタとは、前記導光板の側面側に配置され、
前記バンドパスフィルタと前記導光板との間に配置されるサブ導光板をさらに含み、
前記サブ導光板は、前記導光板に光を出射する出射口における、前記導光板の厚み方向である第１方向の高さが、前記バンドパスフィルタから光が入射される入射口における前記第１方向の高さより小さい、
ことを特徴とする請求項１に記載の液晶表示装置。
【請求項３】
前記光源と前記レンズと前記バンドパスフィルタとは、前記導光板の背面側に配置されており、
前記バンドパスフィルタを透過した前記特定帯域光を前記導光板に導くためのサブ導光板をさらに含み、
前記サブ導光板は、前記導光板の側面側に位置する第１部分と、該第１部分に接続され、前記導光板の背面側に位置する第２部分とを含む
ことを特徴とする請求項１に記載の液晶表示装置。
【請求項４】
前記サブ導光板は、前記導光板に光を出射する出射口における、前記導光板の厚み方向である第１方向の高さが、前記バンドパスフィルタから光が入射される入射口における前記第１方向の高さより小さい、
ことを特徴とする請求項３に記載の液晶表示装置。
【請求項５】
前記サブ導光板の前記第１部分には、前記バンドパスフィルタを透過した前記特定帯域光を前記第２部分から前記導光板の側面に導くための屈曲部が形成されており、
前記屈曲部には、前記屈曲部において前記サブ導光板の外側に放射される光を、前記導光板の側面に導くように反射させる反射テープが設けられている、
ことを特徴とする請求項３に記載の液晶表示装置。
【請求項６】
前記第２部分は、前記第１部分との接続部における、前記導光板の厚み方向である第１方向の高さが、前記バンドパスフィルタから光が入射される入射口における前記第１方向の高さより小さい、
ことを特徴とする請求項３または４に記載の液晶表示装置。
【請求項７】
前記表示パネルを駆動する駆動回路を搭載する回路基板をさらに含み、
前記サブ導光板の前記第２部分は、前記第１方向の高さが高い高部と、前記第１方向の高さが前記高部よりも小さい低部と、を含み、
前記回路基板は、前記サブ導光板の前記低部の背面側に配置される、
ことを特徴とする請求項６に記載の液晶表示装置。
【請求項８】
前記表示パネルを駆動する駆動回路を搭載する回路基板をさらに含み、
前記入射口における前記第１方向の高さが第１高さであり、前記サブ導光板の前記第２部分は、前記第１方向の高さが前記第１高さから前記第１高さよりも小さい第２高さに傾斜する傾斜部と、一定の前記第２高さを有する平板部と、を含み、
前記回路基板は、前記サブ導光板の前記平板部と平面視で重畳して配置される、
ことを特徴とする請求項６に記載の液晶表示装置。
【請求項９】
所定の色の光を出射する光源と、
前記光源から出射された光のうち特定帯域の波長を有する特定帯域光を透過するバンドパスフィルタと、
表示パネルの背面側に配置される導光板と、
前記光源から出射された光のうち前記バンドパスフィルタで反射された反射光を受光し、受光した前記反射光の波長を前記特定帯域の波長に変換して前記バンドパスフィルタに出力する波長変換部と、
を含むことを特徴とする液晶表示装置。
【発明の詳細な説明】
【技術分野】
【０００１】
本発明は、液晶表示装置に関する。
【背景技術】
【０００２】
液晶表示装置においてバックライト用光源となるＬＥＤはブロードなスペクトル特性を有するため、色再現性が低い。特許文献１では、液晶表示装置の色再現性を向上させるために、特定帯域の波長を有する光を透過するバンドパスフィルタ（ＢＰＦ：Band-pass-filter）を用いることを開示している。バンドパスフィルタには入射角依存性があるため、特定帯域の波長を有する光を効果的に透過するためにはバンドパスフィルタに対して垂直入光することが好ましい。特許文献１では、バンドパスフィルタに対する垂直入光成分を増やすために、光源からの光をプリズムにより集光してからバンドパスフィルタに垂直入光させている。
【先行技術文献】
【特許文献】
【０００３】
【特許文献１】特開２００３−３３７３３４号公報
【発明の概要】
【発明が解決しようとする課題】
【０００４】
近年、液晶表示装置の色再現性のさらなる向上が求められている。特許文献１に示されているプリズムによる集光では、バンドパスフィルタによる透過効果を十分に得られず所望の色再現性が実現できないという問題がある。また、大型の液晶表示装置に対応する大面積のバンドパスフィルタを作製することは困難であり、従来の手法では液晶表示装置の大型化に対応できないという問題がある。
【０００５】
本発明は、上記課題に鑑みて為されたものであり、その目的は、液晶表示装置において、色再現性を向上することにある。
【課題を解決するための手段】
【０００６】
上記課題を解決するために、本願に係る液晶表示装置は、所定の色の光を出射する光源と、前記光源から出射された光を集光して出射するレンズと、前記レンズから出射された光のうち特定帯域の波長を有する特定帯域光を透過するバンドパスフィルタと、表示パネルの背面側に配置される導光板と、を含み、前記バンドパスフィルタを透過した前記特定帯域光は、前記導光板の側面に入射される、ことを特徴とする。
【０００７】
本願に係る液晶表示装置では、前記光源と前記レンズと前記バンドパスフィルタとは、前記導光板の側面側に配置され、前記バンドパスフィルタと前記導光板との間に配置されるサブ導光板をさらに含み、前記サブ導光板は、前記導光板に光を出射する出射口における、前記導光板の厚み方向である第１方向の高さが、前記バンドパスフィルタから光が入射される入射口における前記第１方向の高さより小さくてもよい。
【０００８】
本願に係る液晶表示装置では、前記光源と前記レンズと前記バンドパスフィルタとは、前記導光板の背面側に配置されており、前記バンドパスフィルタを透過した前記特定帯域光を前記導光板に導くためのサブ導光板をさらに含み、前記サブ導光板は、前記導光板の側面側に位置する第１部分と、該第１部分に接続され、前記導光板の背面側に位置する第２部分とを含んでいてもよい。
【０００９】
本願に係る液晶表示装置では、前記サブ導光板は、前記導光板に光を出射する出射口における、前記導光板の厚み方向である第１方向の高さが、前記バンドパスフィルタから光が入射される入射口における前記第１方向の高さより小さくてもよい。
【００１０】
本願に係る液晶表示装置では、前記サブ導光板の前記第１部分には、前記バンドパスフィルタを透過した前記特定帯域光を前記第２部分から前記導光板の側面に導くための屈曲部が形成されており、前記屈曲部には、前記屈曲部において前記サブ導光板の外側に放射される光を、前記導光板の側面に導くように反射させる反射テープが設けられていてもよい。
【００１１】
本願に係る液晶表示装置では、前記第２部分は、前記第１部分との接続部における、前記導光板の厚み方向である第１方向の高さが、前記バンドパスフィルタから光が入射される入射口における前記第１方向の高さより小さくてもよい。
【００１２】
本願に係る液晶表示装置では、前記表示パネルを駆動する駆動回路を搭載する回路基板をさらに含み、前記サブ導光板の前記第２部分は、前記第１方向の高さが高い高部と、前記第１方向の高さが前記高部よりも小さい低部と、を含み、前記回路基板は、前記サブ導光板の前記低部の背面側に配置されていてもよい。
【００１３】
本願に係る液晶表示装置では、前記表示パネルを駆動する駆動回路を搭載する回路基板をさらに含み、前記入射口における前記第１方向の高さが第１高さであり、前記サブ導光板の前記第２部分は、前記第１方向の高さが前記第１高さから前記第１高さよりも小さい第２高さに傾斜する傾斜部と、一定の前記第２高さを有する平板部と、を含み、前記回路基板は、前記サブ導光板の前記平板部と平面視で重畳して配置されてもよい。
【００１４】
本願に係る液晶表示装置では、所定の色の光を出射する光源と、前記光源から出射された光のうち特定帯域の波長を有する特定帯域光を透過するバンドパスフィルタと、表示パネルの背面側に配置される導光板と、前記光源から出射された光のうち前記バンドパスフィルタで反射された反射光を受光し、受光した前記反射光の波長を前記特定帯域の波長に変換して前記バンドパスフィルタに出力する波長変換部と、を含んでいてもよい。
【発明の効果】
【００１５】
本発明によれば、液晶表示装置における色再現性を向上させることができる。
【図面の簡単な説明】
【００１６】
【図１】第１実施形態に係る液晶表示装置の全体構成の概略を示す分解斜視図である。
【図２】第１実施形態に係るバックライトユニットの構成を示す平面図である。
【図３】図２のＡ−Ａ断面図である。
【図４】バンドパスフィルタの透過分光特性を示すグラフである。
【図５】第２実施形態に係るバックライトユニットの構成を示す平面図である。
【図６】図５のＢ−Ｂ断面図である。
【図７】第３実施形態に係るバックライトユニットの構成を示す平面図である。
【図８】第３実施形態に係るバックライトユニットの第１の例を示す図である。
【図９】図７のＣ−Ｃ断面図を示している。
【図１０】第３実施形態に係るバックライトユニットの第２の例を示す図である。
【図１１】図１０に示す第３の例のバックライトユニットを適用した液晶表示装置の断面図である。
【図１２】第４実施形態に係るバックライトユニットの構成を示す平面図である。
【図１３】図１２のＤ−Ｄ断面図を示している。
【発明を実施するための形態】
【００１７】
［第１実施形態］
以下、本発明の実施形態について、図面を用いて説明する。
【００１８】
図１は、第１実施形態に係る液晶表示装置１の全体構成の概略を示す分解斜視図である。液晶表示装置１は、画像を表示する表示パネル２と、表示パネル２に背面側から光を照射するバックライトユニット３とを含んで構成されている。また、液晶表示装置１は、下フレーム４と、中フレーム５と、上フレーム６とにより表示パネル２及びバックライトユニット３を挟み込むように組み立てられている。
【００１９】
表示パネル２は、図示は省略するが、ＴＦＴ基板と、対向基板と、両基板間に挟持される液晶層とを含んで構成されている。ＴＦＴ基板には、表示パネル２を駆動するためのドライバＩＣ等が設けられている。なお、ＴＦＴ基板及び対向基板は、周知の構成を適用することができる。
【００２０】
バックライトユニット３は、表示パネル２の背面側に配置される。バックライトユニット３については、後述する。
【００２１】
下フレーム４は、バックライトユニット３の背面側に配置され、バックライトユニット３を支持する。
【００２２】
中フレーム５は、表示面側から見て矩形状であり、略Ｌ字型の断面を有している。中フレーム５は、表示パネル２の背面側に配置され、表示パネル２の周縁部を支持する。
【００２３】
上フレーム６は、表示面側から見て矩形状であり、略Ｌ字型の断面を有している。上フレーム６は、表示パネル２の表示面側に配置され、表示パネル２の周縁部を覆う。
【００２４】
図２は、第１実施形態に係るバックライトユニット３の構成を示す平面図である。図３は、図２のＡ−Ａ断面図である。第１実施形態に係るバックライトユニット３は、光源３２と、レンズ３３と、バンドパスフィルタ３４と、導光板３５とを含んで構成されている。
【００２５】
光源３２は、点状光源であり、所定の色の光を出射する。例えば、光源３２は、６２０〜６５０ｎｍに中心波長を有する赤色光、５２０〜５４０ｎｍに中心波長を有する緑色光、４５０〜４７０ｎｍに中心波長を有する青色光を出射する。光源３２は、例えば複数のＬＥＤ（Light Emitting Diode）を用いて構成することができる。また、光源３２は、赤色ＬＥＤ、緑色ＬＥＤ、青色ＬＥＤといった自発光体であってもよいし、青色ＬＥＤと、蛍光体または量子ドットＱＤ（Quantum Dots）とを組み合わせて所定の色の光を出射する構造であってもよい。複数の光源３２は、基板３１に搭載され導光板３５の側面側に配置されており、光源３２から出射する光は、レンズ３３及びバンドパスフィルタ３４を介して導光板３５の一側面に入射される。なお、図２では、複数の光源３２が導光板３５の一側面に配置されている例を示しているが、複数の光源３２が導光板３５の両側面に配置されていてもよい。
【００２６】
レンズ３３は、光源３２の出射面側に配置され、光源３２から出射された光を集光してバンドパスフィルタ３４に入射させる。光源３２から出射された光は放射状に発散するため、レンズ３３により集光してバンドパスフィルタ３４に対して垂直光が入射されるようにする。複数の光源３２と複数のレンズ３３とは、例えば一対一で対応するように配置されている。また、レンズ３３の導光板３５の厚み方向である第１方向の高さＨｌｅは、光源３２の第１方向の高さＨｌｓより高い。
【００２７】
バンドパスフィルタ３４は、レンズ３３の出射面側に配置され、レンズ３３から出射された光のうち特定帯域の波長を有する光（以下、特定帯域光とする）を透過させて導光板３５の側面に入射させる。バンドパスフィルタ３４は、ガラス基板とガラス基板上に製膜された誘電体積層膜とにより構成されており、誘電体積層膜の層数や膜厚により所望の特定帯域光を透過するようになっている。バンドパスフィルタ３４には入射角依存性が生じるため、所望のフィルタ効果を得るため（所望の特定帯域光を透過するため）にはバンドパスフィルタ３４に対して垂直光が入射することが望ましい。第１実施形態では、レンズ３３によりバンドパスフィルタ３４に対して入射される垂直光を増やすことで、バンドパスフィルタ３４のフィルタ効果を向上させている。
【００２８】
また、複数のレンズ３３に対して１個のバンドパスフィルタ３４が配置されていてもよいし、複数のレンズ３３に対して複数のバンドパスフィルタ３４が配置されていてもよい。例えば、４８個のレンズ３３に対して６個のバンドパスフィルタ３４が配置され、８個のレンズ３３に対して１つのバンドパスフィルタ３４が対応する。図２においては、１２個のレンズ３３に対して４個のバンドパスフィルタ３４が配置されており、３個のレンズ３３に対して１つのバンドパスフィルタ３４が対応する例を示している。複数のバンドパスフィルタ３４が配置される場合は、導光板３５の側面側から見て、隣り合うバンドパスフィルタ３４の間隙に、光源３２及びレンズ３３が重ならないように、各光源３２と各レンズ３３と各バンドパスフィルタ３４とが配置される。具体的には、隣り合うバンドパスフィルタ３４の間隙の距離Ｗ１は、隣り合うレンズ３３の間隙の距離Ｗ２及び隣り合う光源３２の間隙の距離Ｗ３より短く、かつ、隣り合うバンドパスフィルタ３４の間隙の中心線と、隣り合うレンズ３３の間隙の中心線と、隣り合う光源３２の間隙の中心線とが一致するように、各光源３２と各レンズ３３と各バンドパスフィルタ３４とが配置されている。これにより、隣り合うバンドパスフィルタ３４の間を通って導光板３５の側面に入射される光を低減することができ、複数のバンドパスフィルタ３４が配置される場合のバンドパスフィルタ３４間の切れ目によるフィルタ効果の損失を低減することができる。
【００２９】
導光板３５は、バンドパスフィルタ３４を透過した特定帯域光を導光板３５の表示面側から均一に出射することでバックライトユニット３を面光源として機能させる。また、導光板３５の背面側には反射シート（図示せず）が配置されており、導光板３５に入射された特定帯域光が導光板３５の表示面側以外の面から出射されないようにしている。また、導光板３５の表示面側には光学シート（図示せず）が配置されており、導光板３５から出射される光を集光して表示パネル２の背面側へ導いている。なお、光学シートには、導光板３５から出射される光を拡散させて均一にする拡散シートが含まれていてもよい。
【００３０】
ここで、レンズ３３及びバンドパスフィルタ３４の具体的な構成の一例を挙げる。図４はバンドパスフィルタ３４の透過分光特性を示すグラフである。図４のグラフでは、バンドパスフィルタ３４の入射角依存性（バンドパスフィルタ３４に入射される光の入射角に対する波長及び透過率の関係）を示している。図４は、バンドパスフィルタ３４に入射される光の入射角を０°、１０°、２０°、３０°、４０°、５０°、６０°とした場合のバンドパスフィルタ３４の透過分光特性を示している。なお、バンドパスフィルタ３４に入射される光の入射角が０°の場合と１０°の場合とでは、バンドパスフィルタ３４の透過分光特性がほぼ同一となっている。図４に示すように、バンドパスフィルタ３４に入射される光の入射角が大きくなるほど、ハンドパスフィルタ３４を透過する波長域とバンドパスフィルタ３４の透過率が低下する。特にバンドパスフィルタ３４に入射される光の入射角が２０°を超えるとバンドパスフィルタ３４の入射角依存性は無視できない程度に変化してしまう。そこで、本実施形態では、レンズ３３は、バンドパスフィルタ３４に入射される光の入射角が２０°以内になるように設計されることとする。また、バンドパスフィルタ３４は、入射角が０°の場合に４６０〜４６５ｎｍ、５２５〜５３５ｎｍ、及び６３０〜６４０ｎｍの波長域の光を透過するように設計されることとする。
【００３１】
第１実施形態によれば、光源３２と、レンズ３３と、バンドパスフィルタ３４とを導光板３５の側面に配置することで、小型のバンドパスフィルタ３４を用いて液晶表示装置１の色再現性を向上させることができる。
【００３２】
［第２実施形態］
第１実施形態では、レンズ３３の第１方向の高さＨｌｅに合わせて導光板３５の厚みが定められるため、導光板３５の厚みが大きくなる傾向にある。そこで、第２実施形態では、液晶表示装置１の薄型化に対応できるよう導光板３５の厚みを小さくする構成としている。以下、第２実施形態に係る液晶表示装置１の構成について詳細に説明する。
【００３３】
図５は、第２実施形態に係るバックライトユニット３の構成を示す平面図である。図６は、図５のＢ−Ｂ断面図である。第２実施形態に係るバックライトユニット３は、光源３２と、レンズ３３と、バンドパスフィルタ３４と、導光板３５と、サブ導光板３６とを含んで構成されている。第２実施形態に係るバックライトユニット３は、第１実施形態とはサブ導光板３６の構成に差異がある点を除けば、同一のものである。従って、第１実施形態と同等の構成には同符号を付し、その重複する説明は省略するものとする。
【００３４】
第２実施形態では、光源３２と、レンズ３３と、バンドパスフィルタ３４と、サブ導光板３６とは、導光板３５の側面側に配置されている。また、サブ導光板３６は、バンドパスフィルタ３４と導光板３５との間に配置されている。
【００３５】
サブ導光板３６は、バンドパスフィルタ３４から出射された特定帯域光を導光板３５の側面に入射させる。サブ導光板３６は、導光板３５に光を出射する出射口における導光板３５の厚み方向である第１方向の高さＨ１が、バンドパスフィルタ３４から光が入射される入射口における第１方向の高さＨ２より小さい。具体的には、例えば、図６に示すように、サブ導光板３６は、断面が台形状に形成されている。なお、サブ導光板３６の形状は図６に示す例に限定されず、導光板３５に光を出射する出射口における導光板３５の第１方向の高さＨ１が、バンドパスフィルタ３４から光が入射される入射口における第１方向の高さＨ２より小さくなればよい。これにより、導光板３５の厚さは、サブ導光板３６の出射口の第１方向の高さＨ１に合わせて定めることができ、導光板３５の厚さを第１実施形態に係る導光板３５の厚さより小さくすることが可能となる。
【００３６】
第２実施形態によれば、サブ導光板３６を用いることで導光板３５の厚さを小さくすることができ、液晶表示装置１の薄型化に対応することが可能となる。また、第２実施形態によれば、光路長を長くとることができるため光が均一化され光源ムラを抑制することができる。
【００３７】
［第３実施形態］
第１実施形態では、光源３２と、レンズ３３と、バンドパスフィルタ３４とが導光板３５の側面側に配置されるため、液晶表示装置１の額縁領域が大きくなる傾向にある。そこで、第３実施形態では、液晶表示装置１の狭額縁化に対応できるよう、光源３２と、レンズ３３と、バンドパスフィルタ３４とが導光板３５の背面側に配置される構成としている。以下、第３実施形態に係る液晶表示装置１の構成について詳細に説明する。
【００３８】
図７は、第３実施形態に係るバックライトユニット３の構成を示す平面図である。図８は、第３実施形態に係るバックライトユニット３の第１例を示す図である。図８は、図７のＣ−Ｃ断面図を示している。第３実施形態に係るバックライトユニット３は、光源３２と、レンズ３３と、バンドパスフィルタ３４と、導光板３５と、サブ導光版１３６とを含んで構成されている。第３実施形態に係るバックライトユニット３は、第１実施形態とは、光源３２と、レンズ３３と、バンドパスフィルタ３４との位置と、サブ導光板３６の構成とに差異がある点を除けば、同一のものである。従って、第１実施形態と同等の構成には同符号を付し、その重複する説明は省略するものとする。
【００３９】
第３実施形態では、光源３２と、レンズ３３と、バンドパスフィルタ３４とは、導光板３５の背面側に配置されている。また、サブ導光板１３６は、導光板３５の背面側及び側面側に配置されている。サブ導光板１３６は、バンドパスフィルタ３４を透過した特定帯域光を導光板３５に導くために配置されている。
【００４０】
サブ導光板１３６は、バンドパスフィルタ３４から出射された特定帯域光を導光板３５の側面に入射させる。サブ導光板１３６は、導光板３５の側面側に位置する第１部分１３６ａと、導光板３５の背面側に位置する第２部分１３６ｂとを含んで構成されている。言い換えれば、サブ導光板１３６は、第１部分１３６ａと第２部分１３６ｂとにより断面が略Ｌ字状に形成されている。サブ導光板１３６の形状はＬ字状に限定されず、例えばＵ字状であってもよい。バンドパスフィルタ３４から出射された特定帯域光は、サブ導光板１３６の第２部分１３６ｂに入射され、第２部分１３６ｂ及び第１部分１３６ａを通過して、第１部分１３６ａから導光板３５の側面に対して出射される。
【００４１】
また、サブ導光板１３６の第１部分１３６ａには、バンドパスフィルタ３４を透過された特定帯域光を第２部分１３６ｂから導光板３５の側面に導くための屈曲部２３６ａが形成されている。屈曲部２３６ａは、例えば、導光板３５の側端面（入射面）に対して４５度の角度で屈曲している。ここで、サブ導光板１３６に入射された光の一部が、屈曲部２３６ａにおいてサブ導光板１３６の外側に放射されることで光漏れが生じることがある。そこで、屈曲部２３６ａには、屈曲部２３６ａにおいてサブ導光板１３６の外側に放射される光を、導光板３５の側面に導くように反射させる反射テープ１３７が設けられている。反射テープ１３７は、例えば、銀の蒸着膜により形成されている。屈曲部２３６ａに反射テープ１３７が設けられることで、サブ導光板１３６における光漏れを抑制し、光利用効率を向上させることができる。
【００４２】
第３実施形態の第１の例によれば、光源３２と、レンズ３３と、バンドパスフィルタ３４とが導光板３５の背面側に配置され、サブ導光板１３６によりバンドパスフィルタ３４から出射された特定帯域光を導光板３５の側面に入射させることで、液晶表示装置１の狭額縁化に対応することが可能となる。また、第３実施形態によれば、光路長を長くとることができるため光が均一化され光源ムラを抑制することができる。
【００４３】
図９は、第３実施形態に係るバックライトユニット３の第２の例を示す図である。図１０は、図７のＣ−Ｃ断面図を示している。図９に示すように、サブ導光板１３６は、導光板３５に光を出射する出射口における導光板３５の第１方向の高さＨ１１が、バンドパスフィルタ３４から光が入射される入射口における第１方向の高さＨ２２より小さい。これにより、導光板３５の厚さは、サブ導光板３６の出射口の第１方向の高さＨ１１に合わせて定めることができ、導光板３５の厚さを第３実施形態に係る第１の例における導光板３５の厚さより小さくすることが可能となる。
【００４４】
第３実施形態の第２の例によれば、液晶表示装置１の狭額縁化に対応することが可能となるとともに、液晶表示装置１の薄型化にも対応することが可能となる。
【００４５】
図１０は、第３実施形態に係るバックライトユニット３の第３の例を示す図である。図１０は、図７のＣ−Ｃ断面図を示している。図１０に示すように、サブ導光板１３６の第２部分１３６ｂは、第１部分１３６ａとの接続部における第１方向の高さＨ２３が、バンドパスフィルタ３４から光が入射される入射口における第１方向の高さＨ２２より小さい。図１０に示すように、サブ導光板１３６の第２部分１３６ｂは、第１方向の高さが高い高部３３６ｂと、第１方向の高さが高部３３６ｂより小さい低部２３６ｂとを含んで構成されている。例えば、高部３３６ｂは、バンドパスフィルタ３４から光が入射される入射口から低部２３６ｂとの接続部にかけて、入射口における第１方向の高さＨ２２（第１高さＨ２２とする）から第１高さＨ２２よりも小さい第２高さＨ２４に傾斜する傾斜部となっている。また、低部２３６ｂは、高部３３６ｂとの接続部から第１部分１３６ａとの接続部にかけて、第１方向の高さが一定の第２高さＨ２４である平板部となっている。なお、図１０では、第２高さＨ２４と、第１部分１３６ａとの接続部における第１方向の高さＨ２３とは同一である。ｈｈ言い換えれば、サブ導光板１３６の第２部分１３６ｂには、低部２３６ｂと高部３３６ｂとにより表示面側に向かって凹状の窪みが形成されている。なお、図１０においては、サブ導光板１３６の出射口における導光板３５の第１方向の高さＨ１１は、サブ導光板１３６の入射口における第１方向の高さＨ２２より小さくてもよい。このように、サブ導光板１３６の第２部分１３６ｂには、表示面側に向かって凹状の窪みが形成されていることで、当該窪みに回路基板等を配置することが可能となる。
【００４６】
図１１は、図１０に示す第３の例のバックライトユニット３を適用した液晶表示装置１の断面図である。図１１に示すバックライトユニット３は、図７のＣ−Ｃ断面を示している。図１１に示すように、液晶表示装置１は、表示パネル２と、バックライトユニット３と、回路基板７０と、ＦＰＣ８０とが、上フレーム６と下フレーム４とで挟み込まれるように組み立てられている。
【００４７】
回路基板７０は、表示パネル２を駆動するための駆動回路（ソースドライバ、ゲートドライバ等）を搭載している。ＦＰＣ８０は、表示パネル２の周縁部と回路基板７０とを互いに電気的に接続している。
【００４８】
回路基板７０は、サブ導光板１３６の背面側に配置されている。具体的には、回路基板７０は、サブ導光板１３６の第２部分１３６ｂにおける低部２３６ｂの背面側に配置されており、サブ導光板１３６の第２部分１３６ｂにおける低部２３６ｂと平面視で重畳して配置されている。ここでは、回路基板７０のうち最も背面側に位置する部分は、レンズ３３とバンドパスフィルタ３４とサブ導光板１３６とのうち最も背面側に位置する部分よりも表示面側に位置している。例えば、レンズ３３とバンドパスフィルタ３４とサブ導光板１３６とのうち最も背面側に位置する部分がレンズ３３の背面側の面である場合、図１１に示すように導光板３５の背面側の面から回路基板の背面側の面までの高さＨ７０は、導光板３５の背面側の面からレンズ３３の背面側の面までの高さＨ３３より小さい。
【００４９】
第３実施形態の第３の例によれば、液晶表示装置１の狭額縁化に対応することが可能となるとともに、第３実施形態の第２の例よりもより液晶表示装置１を薄型化することが可能となる。
【００５０】
[第４実施形態]
バンドパスフィルタ３４では、バンドパスフィルタ３４を透過可能な特定の帯域以外の帯域の光は、バンドパスフィルタ３４で反射する。バンドパスフィルタ３４で反射される反射光は周辺の部材に吸収されてしまい、光の利用効率が低下する。そこで、第４実施形態では、バンドパスフィルタ３４で反射される反射光を再利用して光の利用効率を向上させる構成としている。以下、第４実施形態に係る液晶表示装置１の構成について詳細に説明する。
【００５１】
図１２は、第４実施形態に係るバックライトユニット３の構成を示す平面図である。図１３は、図１２のＤ−Ｄ断面図を示している。第４実施形態に係るバックライトユニット３は、光源３２と、バンドパスフィルタ３４と、導光板３５と、波長変換部３７とを含んで構成されている。第４実施形態において、第１実施形態と同等の構成には同符号を付し、その重複する説明は省略するものとする。
【００５２】
第４実施形態では、光源３２と、バンドパスフィルタ３４と、波長変換部３７とは、導光板３５の側面側に配置されている。
【００５３】
光源３２から出射する光は、バンドパスフィルタ３４を介して導光板３５の一側面に入射される。
【００５４】
バンドパスフィルタ３４は、光源３２の出射面側に配置され、光源３２から出射された光のうち特定帯域の波長を有する特定帯域光を透過させて導光板３５の側面に入射させる。
【００５５】
波長変換部３７は、バンドパスフィルタ３４より光源３２側に配置されている。例えば、波長変換部３７は基板３１の表面であって光源３２の周辺に配置されている。波長変換部３７は、光源３２から出射された光のうちバンドパスフィルタ３４で反射された反射光を受光し、受光した反射光の波長を特定帯域の波長に変換してバンドパスフィルタ３４に出力する。波長変換部３７には、蛍光体や量子ドットＱＤ（Quantum Dots）等を用いることができる。
【００５６】
第４実施形態によれば、バンドパスフィルタ３４を用いた液晶表示装置１において光利用効率を向上させることができる。
【００５７】
以上、本発明の実施の形態について説明したが、本発明は上記各実施の形態に限定されるものではなく、本発明の趣旨を逸脱しない範囲内で上記実施の形態から当業者が適宜変更した形態も本発明の技術的範囲に含まれることは言うまでもない。
【符号の説明】
【００５８】
１  液晶表示装置、２  表示パネル、３  バックライトユニット、４  下フレーム、５  中フレーム、６  上フレーム、３１  基板、３２  光源、３３  レンズ、３４  バンドパスフィルタ、３５  導光板、３６,１３６  サブ導光板、３７  波長変換部、７０  回路基板、８０  ＦＰＣ、１３６ａ  第１部分、１３６ｂ  第２部分、１３７  反射テープ、２３６ａ  屈曲部、２３６ｂ  低部、３３６ｂ  高部。
【図１】
2017181815.tif 000003
【図２】
2017181815.tif 000004
【図３】
2017181815.tif 000005
【図４】
2017181815.tif 000006
【図５】
2017181815.tif 000007
【図６】
2017181815.tif 000008
【図７】
2017181815.tif 000009
【図８】
2017181815.tif 000010
【図９】
2017181815.tif 000011
【図１０】
2017181815.tif 000012
【図１１】
2017181815.tif 000013
【図１２】
2017181815.tif 000014
【図１３】
2017181815.tif 000015